(57)【要約】      （修正有）【課題】肉眼では視認できないドットコードによる情報を地図上に配置することにより、学習効果を高くすると共に使用しやすくした、音声発生地球儀を提供する。【解決手段】表面に表示され、地図表示部１１を備えた可視情報部１２と、上記可視情報部１２に重ねて設けられ、上記地図表示部に関する情報を、肉眼では視認することができないドットコードにより形成された二次元コードで表現した不可視情報部とを備える。さらに、上記可視情報部上の任意の場所を指示し、指示した場所に関する情報を音声で出力する機能を有する指示手段１３とを備え、上記指示手段は指示した場所の不可視情報部の情報を読み取ると共に、読み取った情報に基づいて指示した場所に関する情報を音声で出力する様にして音声発生地球儀を構成する。【選択図】図１
0003176901.tif 000002
【実用新案登録請求の範囲】
【請求項１】
表面に表示され、地図表示部を備えた可視情報と、上記可視情報に重ねて設けられ、上記可視情報を視覚的に損なわないと共に、上記地図表示部に関する情報を二次元コードで表現した不可視情報と、上記可視情報上の任意の場所を指示し、指示した場所に関する情報を音声で出力する機能を有する指示手段とを備え、上記指示手段は指示した場所の不可視情報を読み取ると共に、読み取った不可視情報に基づいて指示した場所に関する情報を音声で出力することを特徴とする音声発生地球儀。
【請求項２】
上記可視情報は、国旗表示部を備えていることを特徴とする請求項１記載の音声発生地球儀。
【請求項３】
上記地図表示部の任意の部分に設けられた上記不可視情報と、当該部分に対応する国旗表示部に設けられた上記不可視情報とが同一であることを特徴とする請求項２記載の音声発生地球儀。
【請求項４】
上記指示手段は、電源切替手段と、出力される音声の音量を調整しうる音量調整手段と、出力される音声の国語を変更しうる国語切替手段とを備えていることを特徴とする請求項３記載の音声発生地球儀。
【考案の詳細な説明】
【技術分野】
【０００１】
本考案は、音声発生地球儀の改良に関する。
【背景技術】
【０００２】
公知の音声発生地球儀として、地球儀の任意の場所を指示すると、指示した場所に関する情報が音声で入手することができる知育玩具としての音声発生地球儀が提案されている（特許文献１）。
【０００３】
しかしながら、上記地球儀においては、国旗が表示されておらず、国の情報と国旗情報とを結び付けて認識する機会が得られないため、また、出力される音声が日本語のみであるため、学習効果が高まらないという不具合があった。
また、指示手段と音声情報出力手段が別箇に構成されており、使用時には使用し難いと共に、製造コストが嵩むという不具合もあった。
【特許文献１】特開２００６−４３０９３号公報
【考案の開示】
【考案が解決しようとする課題】
【０００４】
そこで、本考案の課題は、より学習効果を高くすると共に、使用しやすく、製造コストを低減できる音声発生地球儀を提供することにある。
【課題を解決するための手段】
【０００５】
上記課題を解決するために、請求項１に記載された考案に係る音声発生地球儀は、表面に表示され、地図表示部を備えた可視情報と、上記可視情報に重ねて設けられ、上記可視情報を視覚的に損なわないと共に、上記地図表示部に関する情報を二次元コードで表現した不可視情報と、上記可視情報上の任意の場所を指示し、指示した場所に関する情報を音声で出力する機能を有する指示手段とを備え、上記指示手段は指示した場所の不可視情報を読み取ると共に、読み取った不可視情報に基づいて指示した場所に関する情報を音声で出力することを特徴とする。
【０００６】
従って、請求項１記載の考案にあっては、地球儀表面に表示され、地図表示部を備えた可視情報と、上記可視情報に重ねて設けられ、上記可視情報を視覚的に損なわないと共に、上記地図表示部に関する情報を二次元コードで表現した不可視情報と、上記可視情報上の任意の場所を指示し、指示した場所に関する情報を音声で出力する機能を有する指示手段とを備え、上記指示手段は指示した場所の不可視情報を読み取ると共に、読み取った不可視情報に基づいて指示した場所に関する情報を音声で出力することから、視覚のみならず、聴覚においても、各国の情報を取得することができる。
【０００７】
また、請求項２記載の考案に係る音声発生地球儀においては、上記可視情報は、国旗表示部を備えていることを特徴とする。
【０００８】
従って、請求項２記載の考案にあっては、上記可視情報は、国旗表示部を備えていることから、各国の国旗情報を取得することができる。
【０００９】
また、請求項３記載の考案に係る音声発生地球儀においては、上記地図表示部の任意の部分に設けられた上記不可視情報と、当該部分に対応する国旗表示部に設けられた上記不可視情報とが同一であることを特徴とする。
【００１０】
従って、請求項３記載の考案にあっては、上記地図表示部の任意の部分に設けられた上記不可視情報と、当該部分に対応する国旗表示部に設けられた上記不可視情報とが同一であることから、上記地図表示部上の国の面積が小さく、上記指示手段で指示し難い場合でも、上記国旗表示部を指示することで各国の音声情報を取得することができる。
【００１１】
また、請求項４記載の考案に係る音声発生地球儀においては、上記指示手段は、電源切替手段と、出力される音声の音量を調整しうる音量調整手段と、出力される音声の国語を変更しうる国語切替手段とを備えていることを特徴とする。
【００１２】
従って、請求項４記載の考案にあっては、上記指示手段は、電源切替手段と、出力される音声の音量を調整しうる音量調整手段と、出力される音声の国語を変更しうる国語切替手段とを備えていることから、日本語のみならず外国語の音声情報も取得することができる。
【考案の効果】
【００１３】
請求項１記載の考案にあっては、表面に表示され、地図表示部を備えた可視情報と、上記可視情報に重ねて設けられ、上記可視情報を視覚的に損なわないと共に、上記地図表示部に関する情報を二次元コードで表現した不可視情報と、上記可視情報上の任意の場所を指示し、指示した場所に関する情報を音声で出力する機能を有する指示手段とを備え、上記指示手段は指示した場所の不可視情報を読み取ると共に、読み取った不可視情報に基づいて指示した場所に関する情報を音声で出力することから、視覚のみならず、聴覚においても、各国の情報を取得することができる。その結果、学習効果の高い音声発生地球儀を提供することができる。
また、指示手段で、地図表示部上を指示できると共に、音声情報を聞くことができる。
さらに、従来技術におけるように指示手段と音声情報出力手段が別箇に構成されておらず、一体に形成されていることから製造コストを低減することができる。
【００１４】
請求項２記載の考案にあっては、上記可視情報は、国旗表示部を備えていることから、各国の国旗情報を取得することができる。その結果、国の情報と国旗情報とを結び付けて記憶することができるので、請求項１記載の考案の効果に加えて学習効果の高い音声発生地球儀を提供することができる。
【００１５】
請求項３記載の考案にあっては、上記地図表示部の任意の部分に設けられた上記不可視情報と、当該部分に対応する国旗表示部に設けられた上記不可視情報とが同一であることから、上記地図表示部上の国の面積が小さく、上記指示手段で指示し難い場合でも、上記国旗表示部を指示することで各国の音声情報を取得することができる。その結果、取得したい情報を的確に取得することができるので、請求項２記載の考案の効果に加えて学習効果の高い音声発生地球儀を提供することができる。
【００１６】
請求項４記載の考案にあっては、上記指示手段は、電源切替手段と、出力される音声の音量を調整しうる音量調整手段と、出力される音声の国語を変更しうる国語切替手段とを備えていることから、日本語のみならず外国語の音声情報も取得することができる。
その結果、外国語の学習も行うことができるので、請求項３記載の考案の効果に加えて学習効果の高い音声発生地球儀を提供することができる。
【図面の簡単な説明】
【００１７】
【図１】本考案に係る音声発生地球儀の一実施の形態を示し、実施の形態における音声発生地球儀の斜視図である。
【図２】本考案に係る音声発生地球儀の一実施の形態を示し、実施の形態における音声発生地球儀の国旗表示部付近における拡大図である。
【考案を実施するための最良の形態】
【００１８】
以下、添付図面に示す実施の形態に基づき、本考案に係る音声発生地球儀を詳述する。
【００１９】
図１に示すように、本実施の形態に係る音声発生地球儀１０は、音声発生地球儀１０の表面に表示され、地図表示部１１を備えた可視情報１２と、上記可視情報１２に重ねて設けられ、上記可視情報１２を視覚的に損なわないと共に、上記地図表示部１１に関する情報を二次元コードで表現した不可視情報(図示せず)と、上記可視情報上１２の任意の場所を指示し、指示した場所に関する情報を音声で出力する機能を有する指示手段１３とを備えている。
【００２０】
図１に示すように、上記可視情報１２は、国旗表示部１４を備えている。
【００２１】
本実施の形態においては、上記地図表示部１１の任意の部分に設けられた上記不可視情報(図示せず)と、当該部分に対応する国旗表示部１４に設けられた上記不可視情報(図示せず)とが同一となるように構成されている。
【００２２】
図１に示すように、上記可視情報１２は、世界地図からなる地図表示部１１及び主要な国家１９０カ国の国旗表示部１４の他に各国の国名１９、首都名等が表記された文字部１８を備えている。
【００２３】
図２に示すように、本実施の形態における上記文字部１８の国名１９は、日本語及び英語で表記されている。
【００２４】
本実施の形態においては、図１に示すように、上記指示手段１３は、電源切替手段１５と、出力される音声の音量を調整しうる音量調整手段１６と、内蔵された音声発生部(図示せず)から出力される音声の国語を変更しうる、国語切替手段１７とを備えている。
【００２５】
図１に示すように、上記指示手段１３はタッチペン型に形成されている。
【００２６】
図１に示すように、電源切替手段１５、音量調整手段１６、及び、国語切替手段１７は、上記指示手段１３にボタン形式で設けられている。
【００２７】
図１に示すように、電源切替手段１５、国語切替手段１７、及び、音量調整手段１６は、上記指示手段１３のペン先方向から順に設けられている。
【００２８】
本実施の形態においては、上記指示手段１３の音声発生部(図示せず)から出力される日本語音声は、国名、首都名、面積、人口、及び、大陸情報で構成されている。
【００２９】
本実施の形態においては、上記指示手段１３の音声発生部(図示せず)から出力される英語音声は、国名情報である。
【００３０】
本実施の形態においては、上記不可視情報(図示せず)は、肉眼では視認することができないドットコード(図示せず)により形成されている。
【００３１】
図１に示すように、本実施の形態に係る音声発生地球儀１０は、いわゆる全回転式フレーム２０を採用している。
【００３２】
以下、本実施の形態に係る音声発生地球儀の作用について説明する。
【００３３】
図１に示すように、本実施の形態に係る音声発生地球儀１０上の上記可視情報１２の任意の部分を、タッチペン型の上記指示手段１３の先端部でタッチすることにより、上記指示手段１３で指示した場所の不可視情報(図示せず)は、上記指示手段１３で読み取られ、上記指示手段１３は読み取った不可視情報(図示せず)に基づいて指示した場所に関する情報が音声で出力するので、視覚のみならず、聴覚においても、各国の情報を取得することができる。
【００３４】
図１に示すように、上記可視情報１２には、国旗表示部１４を備えていることから、各国の国旗情報を取得することができる。その結果、国の情報と国旗情報とを結び付けて記憶することができる。
【００３５】
本実施の形態においては、上記地図表示部１１の任意の部分に設けられた上記不可視情報(図示せず)と、当該部分に対応する国旗表示部１４に設けられた上記不可視情報(図示せず)とが同一であることから、上記地図表示部上の国の面積が小さく、上記指示手段で指示し難い場合でも、上記国旗表示部を指示することで各国の音声情報を取得することができる。その結果、取得したい国の情報を的確に取得することができる。
【００３６】
例えば、本実施の形態においては、日本を表す上記地図表示部１１aの部分に設けられた上記不可視情報(図示せず)と、日本の国旗を表す国旗表示部１４aに設けられた上記不可視情報(図示せず)とが同一であることから、日本を表す上記地図表示部１１a、日本の国旗を表す国旗表示部１４a、どちらを上記指示手段１３で指示したとしても、日本に関する同一の音声情報を取得することができる。
【００３７】
図１に示すように、上記指示手段１３は、電源切替手段１５と、出力される音声の音量を調整しうる音量調整手段１６と、指示手段１３の音声発生部(図示せず)から出力される音声の国語を変更しうる国語切替手段１７とを備えていることから、日本語のみならず外国語の音声情報も取得することができる。その結果、外国語の学習も行うことができる。以上より、学習効果の高い音声発生地球儀を提供することができる。
【００３８】
図１に示すように、ボタン形式の上記電源切替手段１５のボタンを押すことにより、タッチペン型の上記指示手段１３の電源を入れたり、切ったりすることができる。
【００３９】
図１に示すように、ボタン形式の上記音量調整手段１６のボタンを押すことにより、タッチペン型の上記指示手段１３から出力される音量を調整することができる。
【００４０】
図１に示すように、ボタン形式の上記国語切替手段１７のボタンを押すことにより、タッチペン型の上記指示手段１３の音声発生部(図示せず)から出力される音声情報を日本語又は英語に切替えることができる。
【００４１】
図１に示すように、本実施の形態に係る音声発生地球儀１０は、いわゆる全回転式フレーム２０を採用していることから、一般の地球儀では下半部となり見難い南半球部分の可視情報１２が見易く、また、タッチペン型の上記指示手段１３の先端で指示し易くなる。
【産業上の利用可能性】
【００４２】
本考案は、広く地球儀に適用可能であることから産業上の利用可能性を有している。
【符号の説明】
【００４３】
１０  音声発生地球儀
１１  地図表示部
１１a 日本の地図表示部
１２  可視情報
１３  指示手段
１４  国旗表示部
１４a 日本の国旗表示部
１５  電源切替手段
１６  音量調整手段
１７  国語切替手段
１８  文字部
１９  国名
２０  全回転式フレーム
【図１】
0003176901.tif 000003
【図２】
0003176901.tif 000004
【手続補正書】
【提出日】平成24年5月14日(2012.5.14)
【手続補正１】
【補正対象書類名】実用新案登録請求の範囲
【補正対象項目名】全文
【補正方法】変更
【補正の内容】
【実用新案登録請求の範囲】
【請求項１】
表面に表示され、地図表示部を備えた可視情報部と、上記可視情報部に重ねて設けられ、上記地図表示部に関する情報を、肉眼では視認することができないドットコードにより形成された二次元コードで表現した不可視情報部と、上記可視情報部上の任意の場所を指示し、指示した場所に関する情報を音声で出力する機能を有する指示手段とを備え、上記指示手段は指示した場所の不可視情報部の情報を読み取ると共に、読み取った情報に基づいて指示した場所に関する情報を音声で出力することを特徴とする音声発生地球儀。
【請求項２】
上記可視情報部は、国旗表示部を備えていることを特徴とする請求項１記載の音声発生地球儀。
【請求項３】
上記地図表示部の任意の部分に設けられた上記不可視情報部の情報と、当該部分に対応する国旗表示部に設けられた上記不可視情報部の情報とが同一であることを特徴とする請求項２記載の音声発生地球儀。
【請求項４】
上記指示手段は、電源切替手段と、出力される音声の音量を調整しうる音量調整手段と、出力される音声の国語を変更しうる国語切替手段とを備えていることを特徴とする請求項３記載の音声発生地球儀。
【手続補正２】
【補正対象書類名】明細書
【補正対象項目名】全文
【補正方法】変更
【補正の内容】
【考案の詳細な説明】
【技術分野】
【０００１】
本考案は、音声発生地球儀の改良に関する。
【背景技術】
【０００２】
公知の音声発生地球儀として、地球儀の任意の場所を指示すると、指示した場所に関する情報が音声で入手することができる知育玩具としての音声発生地球儀が提案されている（特許文献１）。
【０００３】
しかしながら、上記地球儀においては、国旗が表示されておらず、国の情報と国旗情報とを結び付けて認識する機会が得られないため、また、出力される音声が日本語のみであるため、学習効果が高まらないという不具合があった。
また、指示手段と音声情報出力手段が別箇に構成されており、使用時には使用し難いと共に、製造コストが嵩むという不具合もあった。
【特許文献１】特開２００６−４３０９３号公報
【考案の開示】
【考案が解決しようとする課題】
【０００４】
そこで、本考案の課題は、より学習効果を高くすると共に、使用しやすく、製造コストを低減できる音声発生地球儀を提供することにある。
【課題を解決するための手段】
【０００５】
上記課題を解決するために、請求項１に記載された考案に係る音声発生地球儀は、表面に表示され、地図表示部を備えた可視情報部と、上記可視情報部に重ねて設けられ、上記地図表示部に関する情報を、肉眼では視認することができないドットコードにより形成された二次元コードで表現した不可視情報部と、上記可視情報部上の任意の場所を指示し、指示した場所に関する情報を音声で出力する機能を有する指示手段とを備え、上記指示手段は指示した場所の不可視情報部の情報を読み取ると共に、読み取った情報に基づいて指示した場所に関する情報を音声で出力することを特徴とする。
【０００６】
従って、請求項１記載の考案にあっては、地球儀表面に表示され、地図表示部を備えた可視情報部と、上記可視情報部に重ねて設けられ、上記地図表示部に関する情報を、肉眼では視認することができないドットコードにより形成された二次元コードで表現した不可視情報部と、上記可視情報部上の任意の場所を指示し、指示した場所に関する情報を音声で出力する機能を有する指示手段とを備え、上記指示手段は指示した場所の不可視情報部の情報を読み取ると共に、読み取った情報に基づいて指示した場所に関する情報を音声で出力することから、視覚のみならず、聴覚においても、各国の情報を取得することができる。
【０００７】
また、請求項２記載の考案に係る音声発生地球儀においては、上記可視情報部は、国旗表示部を備えていることを特徴とする。
【０００８】
従って、請求項２記載の考案にあっては、上記可視情報部は、国旗表示部を備えていることから、各国の国旗情報を取得することができる。
【０００９】
また、請求項３記載の考案に係る音声発生地球儀においては、上記地図表示部の任意の部分に設けられた上記不可視情報部の情報と、当該部分に対応する国旗表示部に設けられた上記不可視情報部の情報とが同一であることを特徴とする。
【００１０】
従って、請求項３記載の考案にあっては、上記地図表示部の任意の部分に設けられた上記不可視情報部の情報と、当該部分に対応する国旗表示部に設けられた上記不可視情報部の情報とが同一であることから、上記地図表示部上の国の面積が小さく、上記指示手段で指示し難い場合でも、上記国旗表示部を指示することで各国の音声情報を取得することができる。
【００１１】
また、請求項４記載の考案に係る音声発生地球儀においては、上記指示手段は、電源切替手段と、出力される音声の音量を調整しうる音量調整手段と、出力される音声の国語を変更しうる国語切替手段とを備えていることを特徴とする。
【００１２】
従って、請求項４記載の考案にあっては、上記指示手段は、電源切替手段と、出力される音声の音量を調整しうる音量調整手段と、出力される音声の国語を変更しうる国語切替手段とを備えていることから、日本語のみならず外国語の音声情報も取得することができる。
【考案の効果】
【００１３】
請求項１記載の考案にあっては、表面に表示され、地図表示部を備えた可視情報部と、上記可視情報部に重ねて設けられ、上記地図表示部に関する情報を、肉眼では視認することができないドットコードにより形成された二次元コードで表現した不可視情報部と、上記可視情報部上の任意の場所を指示し、指示した場所に関する情報を音声で出力する機能を有する指示手段とを備え、上記指示手段は指示した場所の不可視情報部の情報を読み取ると共に、読み取った情報に基づいて指示した場所に関する情報を音声で出力することから、視覚のみならず、聴覚においても、各国の情報を取得することができる。その結果、学習効果の高い音声発生地球儀を提供することができる。
また、指示手段で、地図表示部上を指示できると共に、音声情報を聞くことができる。
さらに、従来技術におけるように指示手段と音声情報出力手段が別箇に構成されておらず、一体に形成されていることから製造コストを低減することができる。
【００１４】
請求項２記載の考案にあっては、上記可視情報部は、国旗表示部を備えていることから、各国の国旗情報を取得することができる。その結果、国の情報と国旗情報とを結び付けて記憶することができるので、請求項１記載の考案の効果に加えて学習効果の高い音声発生地球儀を提供することができる。
【００１５】
請求項３記載の考案にあっては、上記地図表示部の任意の部分に設けられた上記不可視情報部の情報と、当該部分に対応する国旗表示部に設けられた上記不可視情報部の情報とが同一であることから、上記地図表示部上の国の面積が小さく、上記指示手段で指示し難い場合でも、上記国旗表示部を指示することで各国の音声情報を取得することができる。  その結果、取得したい情報を的確に取得することができるので、請求項２記載の考案の効果に加えて学習効果の高い音声発生地球儀を提供することができる。
【００１６】
請求項４記載の考案にあっては、上記指示手段は、電源切替手段と、出力される音声の音量を調整しうる音量調整手段と、出力される音声の国語を変更しうる国語切替手段とを備えていることから、日本語のみならず外国語の音声情報も取得することができる。
その結果、外国語の学習も行うことができるので、請求項３記載の考案の効果に加えて学習効果の高い音声発生地球儀を提供することができる。
【図面の簡単な説明】
【００１７】
【図１】本考案に係る音声発生地球儀の一実施の形態を示し、実施の形態における音声発生地球儀の斜視図である。
【図２】本考案に係る音声発生地球儀の一実施の形態を示し、実施の形態における音声発生地球儀の国旗表示部付近における拡大図である。
【考案を実施するための最良の形態】
【００１８】
以下、添付図面に示す実施の形態に基づき、本考案に係る音声発生地球儀を詳述する。
【００１９】
図１に示すように、本実施の形態に係る音声発生地球儀１０は、音声発生地球儀１０の表面に表示され、地図表示部１１を備えた可視情報部１２と、上記可視情報部１２に重ねて設けられ、上記可視情報部１２を視覚的に損なわないと共に、上記地図表示部１１に関する情報を、肉眼では視認することができないドットコード(図示せず)により形成された二次元コードで表現した不可視情報部(図示せず)と、上記可視情報部上１２の任意の場所を指示し、指示した場所に関する情報を音声で出力する機能を有する指示手段１３とを備えている。
【００２０】
図１に示すように、上記可視情報部１２は、国旗表示部１４を備えている。
【００２１】
本実施の形態においては、上記地図表示部１１の任意の部分に設けられた上記不可視情報部(図示せず)の情報と、当該部分に対応する国旗表示部１４に設けられた上記不可視情報部(図示せず)の情報とが同一となるように構成されている。
【００２２】
図１に示すように、上記可視情報部１２は、世界地図からなる地図表示部１１及び主要な国家１９０カ国の国旗表示部１４の他に各国の国名１９、首都名等が表記された文字部１８を備えている。
【００２３】
図２に示すように、本実施の形態における上記文字部１８の国名１９は、日本語及び英語で表記されている。
【００２４】
本実施の形態においては、図１に示すように、上記指示手段１３は、電源切替手段１５と、出力される音声の音量を調整しうる音量調整手段１６と、内蔵された音声発生部(図示せず)から出力される音声の国語を変更しうる、国語切替手段１７とを備えている。
【００２５】
図１に示すように、上記指示手段１３はタッチペン型に形成されている。
【００２６】
図１に示すように、電源切替手段１５、音量調整手段１６、及び、国語切替手段１７は、上記指示手段１３にボタン形式で設けられている。
【００２７】
図１に示すように、電源切替手段１５、国語切替手段１７、及び、音量調整手段１６は、上記指示手段１３のペン先方向から順に設けられている。
【００２８】
本実施の形態においては、上記指示手段１３の音声発生部(図示せず)から出力される日本語音声は、国名、首都名、面積、人口、及び、大陸情報で構成されている。
【００２９】
本実施の形態においては、上記指示手段１３の音声発生部(図示せず)から出力される英語音声は、国名情報である。
【００３０】
本実施の形態においては、上記不可視情報部(図示せず)は、肉眼では視認することができないドットコード(図示せず)により形成されている。
【００３１】
図１に示すように、本実施の形態に係る音声発生地球儀１０は、いわゆる全回転式フレーム２０を採用している。
【００３２】
以下、本実施の形態に係る音声発生地球儀の作用について説明する。
【００３３】
図１に示すように、本実施の形態に係る音声発生地球儀１０上の上記可視情報部１２の任意の部分を、タッチペン型の上記指示手段１３の先端部でタッチすることにより、上記指示手段１３で指示した場所の不可視情報部(図示せず)の情報は、上記指示手段１３で読み取られ、上記指示手段１３は読み取った不可視情報部(図示せず)の情報に基づいて指示した場所に関する情報が音声で出力するので、視覚のみならず、聴覚においても、各国の情報を取得することができる。
【００３４】
図１に示すように、上記可視情報部１２には、国旗表示部１４を備えていることから、各国の国旗情報を取得することができる。その結果、国の情報と国旗情報とを結び付けて記憶することができる。
【００３５】
本実施の形態においては、上記地図表示部１１の任意の部分に設けられた上記不可視情報部(図示せず)の情報と、当該部分に対応する国旗表示部１４に設けられた上記不可視情報部(図示せず)の情報とが同一であることから、上記地図表示部上の国の面積が小さく、上記指示手段で指示し難い場合でも、上記国旗表示部を指示することで各国の音声情報を取得することができる。その結果、取得したい国の情報を的確に取得することができる。
【００３６】
例えば、本実施の形態においては、日本を表す上記地図表示部１１aの部分に設けられた上記不可視情報部(図示せず)の情報と、日本の国旗を表す国旗表示部１４aに設けられた上記不可視情報部(図示せず)の情報とが同一であることから、日本を表す上記地図表示部１１a、日本の国旗を表す国旗表示部１４a、どちらを上記指示手段１３で指示したとしても、日本に関する同一の音声情報を取得することができる。
【００３７】
図１に示すように、上記指示手段１３は、電源切替手段１５と、出力される音声の音量を調整しうる音量調整手段１６と、指示手段１３の音声発生部(図示せず)から出力される音声の国語を変更しうる国語切替手段１７とを備えていることから、日本語のみならず外国語の音声情報も取得することができる。その結果、外国語の学習も行うことができる。以上より、学習効果の高い音声発生地球儀を提供することができる。
【００３８】
図１に示すように、ボタン形式の上記電源切替手段１５のボタンを押すことにより、タッチペン型の上記指示手段１３の電源を入れたり、切ったりすることができる。
【００３９】
図１に示すように、ボタン形式の上記音量調整手段１６のボタンを押すことにより、タッチペン型の上記指示手段１３から出力される音量を調整することができる。
【００４０】
図１に示すように、ボタン形式の上記国語切替手段１７のボタンを押すことにより、タッチペン型の上記指示手段１３の音声発生部(図示せず)から出力される音声情報を日本語又は英語に切替えることができる。
【００４１】
図１に示すように、本実施の形態に係る音声発生地球儀１０は、いわゆる全回転式フレーム２０を採用していることから、一般の地球儀では下半部となり見難い南半球部分の可視情報部１２が見易く、また、タッチペン型の上記指示手段１３の先端で指示し易くなる。
【産業上の利用可能性】
【００４２】
本考案は、広く地球儀に適用可能であることから産業上の利用可能性を有している。
【符号の説明】
【００４３】
１０  音声発生地球儀
１１  地図表示部
１１a 日本の地図表示部
１２  可視情報部
１３  指示手段
１４  国旗表示部
１４a 日本の国旗表示部
１５  電源切替手段
１６  音量調整手段
１７  国語切替手段
１８  文字部
１９  国名
２０  全回転式フレーム